(57)【要約】【課題】見栄え品質の不良あるいは低下を招くことなく、樹脂成形品の離型を容易に行い得る樹脂成形品の成形装置、および樹脂成形品の成形方法を提供する。【解決手段】樹脂成形品の成形装置２０は、キャビティ３３に連通するゲート部３４が形成された成形型３０と、溶融樹脂材料１１を充填する射出装置４０と、ゲート部に開口する噴出口５１からゲート部内にエアーを噴出するエアーエジェクタ５０と、成形型に形成され、ゲート部から噴出口を間に挟むように対をなして窪んで伸びる掘り込み部３５と、を有している。掘り込み部に充填した溶融樹脂材料によって、噴出口を間に挟むように対をなして突出する壁形状のリブ１２を形成する。そして、成形型に密着している樹脂成形品１０と成形型との間に、噴出口から噴出したガスをリブによって案内して、樹脂成形品の少なくとも一部を成形型から離型させる。【選択図】図２
2010214648.tif 000002
【特許請求の範囲】
【請求項１】
キャビティに連通するゲート部が形成された成形型と、
前記ゲート部に開口する吐出口から前記ゲート部を通して前記キャビティに溶融樹脂材料を充填する充填手段と、
前記ゲート部に開口する噴出口から前記ゲート部内にガスを噴出するガス噴出手段と、
前記成形型に形成され、前記ゲート部から前記噴出口を間に挟むように対をなして窪んで伸びる掘り込み部と、を有し、
前記ゲート部から前記掘り込み部に充填した前記溶融樹脂材料によって、前記噴出口を間に挟むように対をなして突出する壁形状のリブを形成し、前記成形型に密着している樹脂成形品と前記成形型との間に、前記噴出口から噴出したガスを前記リブによって案内して、前記樹脂成形品の少なくとも一部を前記成形型から離型させる、樹脂成形品の成形装置。
【請求項２】
前記充填手段の前記吐出口と前記ガス噴出手段の前記噴出口との間に、前記ゲート部に充填した前記溶融樹脂材料によって形成された部位を、前記噴出口に向かう方向に押し付ける押し付け部材をさらに有する、請求項１に記載の樹脂成形品の成形装置。
【請求項３】
対をなす前記掘り込み部は、窪んで伸びる側の先端に、互いに向かい合うように屈曲した屈曲部を有している、請求項１または請求項２に記載の樹脂成形品の成形装置。
【請求項４】
対をなす前記掘り込み部は、前記キャビティに直接連通している、請求項１〜請求項３のいずれか１つに記載の樹脂成形品の成形装置。
【請求項５】
成形型のゲート部を通してキャビティに溶融樹脂材料を充填するときに、前記ゲート部から前記溶融樹脂材料を導くことによって、前記ゲート部にガスを噴出する噴出口を間に挟むように対をなして突出する壁形状のリブを前記成形型内に形成し、
前記成形型に密着している樹脂成形品と前記成形型との間に、前記噴出口から噴出したガスを前記リブによって案内して、前記樹脂成形品の少なくとも一部を前記成形型から離型させる、樹脂成形品の成形方法。
【発明の詳細な説明】
【技術分野】
【０００１】
本発明は、樹脂成形品の成形装置、および樹脂成形品の成形方法に関する。
【背景技術】
【０００２】
周知のように、樹脂成形品の成形には射出成形が広く適用されている。樹脂成形品は、射出成形時の射出圧力によって成形型の成形面に押圧されている。このため、樹脂成形品は、成形面との間が真空状態となり、成形面に密着している。樹脂成形品を成形型から取りだすときに、樹脂成形品と成形面との間にエアーなどのガスを吹き入れて、成形面に対する樹脂成形品の真空密着を無くし、樹脂成形品の離型を容易にする技術が提案されている（特許文献１を参照）。特許文献１に記載された技術では、樹脂成形品の意匠面を形成する成形面に、エアーを噴出する噴出口を開口している。
【先行技術文献】
【特許文献】
【０００３】
【特許文献１】特開平６−１３４７８６号公報
【発明の概要】
【発明が解決しようとする課題】
【０００４】
しかしながら、樹脂成形品の意匠面に噴出口が当接するので、意匠面にエアーエジェクトの分割線などが発生し、見栄え品質の不良あるいは低下を招く虞がある。
【０００５】
そこで、本発明の目的は、見栄え品質の不良あるいは低下を招くことなく、樹脂成形品の離型を容易に行い得る樹脂成形品の成形装置、および樹脂成形品の成形方法を提供することにある。
【課題を解決するための手段】
【０００６】
本発明の樹脂成形品の成形装置は、キャビティに連通するゲート部が形成された成形型と、ゲート部に開口する吐出口からゲート部を通してキャビティに溶融樹脂材料を充填する充填手段と、ゲート部に開口する噴出口からゲート部内にガスを噴出するガス噴出手段と、成形型に形成され、ゲート部から噴出口を間に挟むように対をなして窪んで伸びる掘り込み部と、を有している。ゲート部から掘り込み部に充填した溶融樹脂材料によって、噴出口を間に挟むように対をなして突出する壁形状のリブを形成する。そして、成形型に密着している樹脂成形品と成形型との間に、噴出口から噴出したガスをリブによって案内して、樹脂成形品の少なくとも一部を成形型から離型させている。
【０００７】
本発明の樹脂成形品の成形方法は、まず、成形型のゲート部を通してキャビティに溶融樹脂材料を充填するときに、ゲート部から溶融樹脂材料を導くことによって、ゲート部にガスを噴出する噴出口を間に挟むように対をなして突出する壁形状のリブを成形型内に形成する。そして、成形型に密着している樹脂成形品と成形型との間に、噴出口から噴出したガスをリブによって案内して、樹脂成形品の少なくとも一部を成形型から離型させている。
【発明の効果】
【０００８】
本発明によれば、ガスを噴出する噴出口をゲート部に開口しているので、取り出した樹脂成形品の意匠面に、噴出口の痕跡が生じることがない。このため、見栄え品質の不良あるいは低下を招くことがない。さらに、成形型に密着している樹脂成形品と成形型との間に、ガスをリブによって漏れを少なくしつつ案内することができるので、樹脂成形品の少なくとも一部を成形型から容易に離型させることができる。よって、見栄え品質の不良あるいは低下を招くことなく、樹脂成形品の離型を容易に行い得る。
【図面の簡単な説明】
【０００９】
【図１】図１（Ａ）は、成形型を型締めした状態を示す要部断面図、図１（Ｂ）は、図１（Ａ）の１Ｂ−１Ｂ線に沿う断面図である。
【図２】図２（Ａ）は、溶融樹脂材料を、充填手段の吐出口からゲート部を通して、キャビティに充填した状態を示す要部断面図、図２（Ｂ）は、図２（Ａ）の２Ｂ−２Ｂ線に沿う断面図である。
【図３】成形型から取り出した樹脂成形品のうち、製品部分と製品外の部分とが連続した部分を示す斜視図である。
【図４】図４（Ａ）は、キャビティへの溶融樹脂材料の射出が終了し、成形型を型開きした状態を示す断面図、図４（Ｂ）は、取り出し器具の押し付け部材およびチャックを下降させた状態を示す断面図である。
【図５】図５（Ａ）は、ゲート部に充填した溶融樹脂材料によって形成された部位を、押し付け部材によって噴出口に向かう方向に押し付けている状態を示す断面図、図５（Ｂ）は、押し付け部材を押し付けたまま、噴出手段の噴出口を開いてゲート部内にガスの噴出を開始した状態を示す断面図である。
【図６】図６（Ａ）は、噴出口から噴出したガスをリブによってキャビティ内の樹脂成形品と成形面との間に案内し、樹脂成形品の一部が成形面から離型した状態を示す断面図、図６（Ｂ）は、押し付け部材の押し付けを解除し、取り出しリブを把持したチャックによって樹脂成形品を引き抜き始めた状態を示す断面図である。
【発明を実施するための形態】
【００１０】
以下、添付した図面を参照しながら、本発明の実施形態を説明する。なお、図面の説明において同一の要素には同一の符号を付し、重複する説明を省略する。図面の寸法比率は、説明の都合上誇張されており、実際の比率とは異なる。
【００１１】
図１（Ａ）（Ｂ）、図２（Ａ）（Ｂ）を参照して、実施形態に係る樹脂成形品の成形装置２０は、概説すれば、キャビティ３３に連通するゲート部３４が形成された成形型３０と、ゲート部３４に開口する吐出口４１からゲート部３４を通してキャビティ３３に溶融樹脂材料１１を充填する射出装置４０（充填手段４０に相当する）と、ゲート部３４に開口する噴出口５１からゲート部３４内にガス（例えば、エアー）を噴出するエアーエジェクタ５０（ガス噴出手段５０に相当する）と、成形型３０に形成されゲート部３４から噴出口５１を間に挟むように対をなして窪んで伸びる掘り込み部３５と、を有している。図３をも参照して、ゲート部３４から掘り込み部３５に充填した溶融樹脂材料１１によって、噴出口５１を間に挟むように対をなして突出する壁形状のリブ１２を形成する。そして、成形型３０に密着している樹脂成形品１０と成形型３０との間に、噴出口５１から噴出したエアーをリブ１２によって案内して、樹脂成形品１０の少なくとも一部を成形型３０から離型させている。図４（Ａ）を参照して、成形装置２０は、樹脂成形品１０を取り出す取り出し器具６０を有している。以下、詳述する。
【００１２】
樹脂成形品１０は、特に限定されないが、例えば、自動車のインストルメントパネルの表面に使用する表皮成形品である。表皮の材質には、公知の材質を適宜選択することができる。例えば、塩化ビニール樹脂（ＰＶＣ）、オレフィン系熱可塑性エラストマー（ＴＰＯ）、ポリウレタン系熱可塑性エラストマー（ＴＰＵ）などを用いることができる。表皮成形品の肉厚は、特に限定されないが、例えば、約１ｍｍである。
【００１３】
図１（Ａ）（Ｂ）を参照して、成形型３０は、相対的に開閉自在なキャビ型３１とコア型３２とを有している。図示例では、キャビ型３１を固定型とし、コア型３２を可動型としてある。型開きすると、樹脂成形品１０は、成形型３０のキャビ型３１に密着している（図４（Ａ）を参照）。キャビ型３１およびコア型３２は、樹脂成形品１０の外形形状に合致した内面形状の成形面３１ａ、３１ｂを有している。キャビ型３１およびコア型３２を型締めすることによって、キャビティ３３と、キャビティ３３に連通するゲート部３４とを形成する。キャビティ３３は、キャビ型３１の成形面３１ａと、コア型３２の成形面３２ａとによって形成する。ゲート部３４は、キャビ型３１のゲート面３１ｂと、コア型３２のゲート面３２ｂとによって形成する。ゲート部３４は、樹脂成形を行う上で成形型３０に必ず設けられる部位である。成形型３０から取り出す樹脂成形品１０は、製品部分１４と、製品外の部分１５とが連続した形状を有している（図２（Ａ）、図４（Ａ）を参照）。キャビティ３３の厚さ寸法は表皮成形品の肉厚を決定する寸法であり、例えば、約１ｍｍである。ゲート部３４の厚さ寸法は、製品部分１４よりも若干大きい寸法であり、一例を挙げれば、約５ｍｍである。
【００１４】
射出装置４０の吐出口４１は、キャビ型３１に設けられて、ゲート部３４に開口している。射出装置４０のバルブシステムは、特に限定されないが、例えば、バルブゲートを用いることができる。バルブピン４２が進退移動することによって、吐出口４１を開閉し、溶融樹脂材料１１の射出および停止を行う。射出された溶融樹脂材料１１を、吐出口４１からゲート部３４を通して、キャビティ３３に充填する。
【００１５】
エアーエジェクタ５０の噴出口５１は、キャビ型３１に設けられて、ゲート部３４に開口している。エアーエジェクタ５０は、噴出口５１を開閉する弁体５２を有する。弁体５２には、バネ５３によって、噴出口５１を閉じる方向の弾発力を付勢している。弾発力に抗して弁体５２を移動し、噴出口５１を開くことによって、図示しない供給源から供給されるエアーを、噴出口５１からゲート部３４内に噴出する。
【００１６】
掘り込み部３５は、キャビ型３１に形成され、図１（Ｂ）で見て、ゲート部３４から噴出口５１を間に挟むように対をなして窪んで伸びている。また、対をなす掘り込み部３５は、図１（Ａ）において下端部が、キャビティ３３に開口し、キャビティ３３に直接連通している。
【００１７】
コア型３２には、ゲート部３４から窪んで伸びる凹所３６を形成してある。凹所３６は、コア型３２が移動する方向に沿って伸びている。
【００１８】
図２（Ａ）（Ｂ）、図３を参照して、成形型３０のゲート部３４を通してキャビティ３３に溶融樹脂材料１１を充填するときに、ゲート部３４からキャビ型３１の掘り込み部３５に溶融樹脂材料１１を導いて充填することによって、噴出口５１を間に挟むように対をなして突出する壁形状のリブ１２を成形型３０内に形成する。リブ１２の肉厚は、特に限定されないが、例えば、約１ｍｍである。掘り込み部３５の厚さ寸法は、リブ１２の肉厚を決定する寸法であり、例えば、約１ｍｍである。
【００１９】
リブ１２によって、キャビ型３１に密着している樹脂成形品１０とキャビ型３１との間に、噴出口５１から噴出したエアーを案内する。より具体的には、リブ１２は、樹脂成形品１０における製品外の部分１５とキャビ型３１におけるゲート面３１ｂとの間にガスを案内する。そのガスは、キャビティ３３内の樹脂成形品１０つまり樹脂成形品１０における製品部分１４とキャビ型３１における成形面３１ａとの間に導かれる。
【００２０】
対をなす掘り込み部３５は、キャビティ３３に直接連通していることが好ましい。リブ１２は、樹脂成形品１０における製品部分１４とキャビ型３１における成形面３１ａとの間に直接ガスを案内する。その結果、樹脂成形品１０における製品部分１４と成形面３１ａとの間に案内し得るエアー量を増加させることができ、真空密着を解除し易くなり、樹脂成形品１０の成形面３１ａからの離型を促進させることができるからである。
【００２１】
なお、ゲート部３４に充填した溶融樹脂材料１１が冷却固化することによって形成された部位である製品外の部分１５を、説明の便宜上、「ゲートスクラップ部１５」とも言う。
【００２２】
ゲート部３４からコア型３２の凹所３６に溶融樹脂材料１１を導いて充填することによって、ゲートスクラップ部１５に、リブ１２とは反対側に向けて突出する取り出しリブ１３を形成する。凹所３６はコア型３２が移動する方向に沿って伸びているので、取り出しリブ１３はアンダーカット形状とはなっていない。樹脂成形品１０をキャビ型３１から取り出すときには、取り出しリブ１３を把持して樹脂成形品１０を引き抜く。
【００２３】
対をなす掘り込み部３５は、窪んで伸びる側の先端に、互いに向かい合うように屈曲した屈曲部３７を設けることが好ましい。リブ１２の先端（屈曲先端部１２ａ）は、互いに向かい合うように屈曲した形状となる。屈曲部３７を設けることによって、噴出口５１から噴出されエアーを囲むような形態となることから、真っ直ぐなリブの場合に比べて、エアーが逃げ難く、ゲートスクラップ部１５の近傍に滞留させやすくなる。その結果、樹脂成形品１０と成形面３１ａ、ゲート面３１ｂとの間に案内し得るエアー量を増加させることができ、真空密着を解除し易くなり、樹脂成形品１０の成形面３１ａ、ゲート面３１ｂからの離型を促進させることができるからである。
【００２４】
屈曲部３７は樹脂成形品１０をキャビ型３１から取り出すときにゲートスクラップ部１５が移動する方向に対して交差する方向に伸びている。したがって、先端が屈曲したリブ１２は、ゲートスクラップ部１５の移動に対してアンダーカット形状となっている。しかしながら、本実施形態における表皮成形品は比較的柔軟なものである。このため、アンダーカット形状を有するリブ１２であっても、ゲートスクラップ部１５の移動に伴って掘り込み部３５から容易に抜き出すことができる。掘り込み部３５から抜き出すときにリブ１２が変形したり破損したりしても、リブ１２を抜き出した時点においてはもはや、エアーを案内するというリブ１２に発揮させるべき機能は終わっている。したがって、リブ１２がアンダーカット形状を有していても、何らの支障もない。しかも、リブ１２を含むゲートスクラップ部１５は、製品から切断して除去される部分であるので、この点からも、リブ１２に変形などが生じたとしても何ら問題はない。
【００２５】
図５（Ａ）（Ｂ）を参照して、成形装置２０はさらに、射出装置４０の吐出口４１とエアーエジェクタ５０の噴出口５１との間に、ゲート部３４に充填した溶融樹脂材料１１によって形成された部位つまりゲートスクラップ部１５を、噴出口５１に向かう方向（図５（Ａ）（Ｂ）において右側）に押し付ける押し付け部材６１をさらに有していることが好ましい。押し付け部材６１を設けることによって、エアー吹き入れ時の浮き上がりによるエアー漏れを防止することができる。つまり、噴出口５１から噴出されエアーが、キャビティ３３とは反対側つまり図中上側の吐出口４１側に漏れることを抑えることができる。リブ１２の形状と、押し付け部材６１によるゲートスクラップ部１５の押し付けとが相まって、エアーの逃げ道が、ゲートスクラップ部１５とゲート面３１ｂとの間、および樹脂成形品１０における製品部分１４と成形面３１ａとの間となる。その結果、樹脂成形品１０と成形面３１ａ、ゲート面３１ｂとの間に案内し得るエアー量をさらに増加させることができ、真空密着をより一層解除し易くなり、樹脂成形品１０の成形面３１ａ、ゲート面３１ｂからの離型をより一層促進させることができるからである。また、生産性の向上として、サイクル時間の短縮を図ることができる。
【００２６】
アンダーカット形状を有するリブ１２は、脱型時の抵抗となる。エアー漏れ防止の機能をアシストする押し付け部材６１を設けることによって、リブ１２の寸法や数を、押し付け部材６１がアシストする分だけ小さくすることが可能となる。リブ１２の小型化を通して、脱型時の抵抗が小さくなり、樹脂成形品１０を取り出す作業性が良好になる。
【００２７】
取り出し器具６０は、上記の押し付け部材６１と、ゲートスクラップ部１５の取り出しリブ１３を把持するチャック６２と、を有している。チャック６２は、取り出しリブ１３を把持および把持解除自在なフィンガ６３を有している。押し付け部材６１およびチャック６２のそれぞれは、圧縮エアーなどの流体圧によって作動するシリンダ（図示せず）によって、ゲートスクラップ部１５に対して進退移動する。
【００２８】
次に、本実施形態の作用を説明する。
【００２９】
図１（Ａ）（Ｂ）を参照して、成形型３０のキャビ型３１およびコア型３２を型締めし、キャビティ３３と、キャビティ３３に連通するゲート部３４とを形成する。
【００３０】
図２（Ａ）（Ｂ）を参照して、バルブピン４２が後退移動して吐出口４１を開き、溶融樹脂材料１１を、射出装置４０の吐出口４１からゲート部３４を通して、キャビティ３３に充填する。
【００３１】
成形型３０のゲート部３４を通してキャビティ３３に溶融樹脂材料１１を充填するときに、ゲート部３４からキャビ型３１の掘り込み部３５に溶融樹脂材料１１を導いて充填する。これによって、噴出口５１を間に挟むように対をなして突出する壁形状のリブ１２を成形型３０内に形成する（図３をも参照）。対をなす掘り込み部３５には屈曲部３７を設けているので、リブ１２は、先端が屈曲した形状を有する。また、ゲート部３４からコア型３２の凹所３６に溶融樹脂材料１１を導いて充填する。これによって、リブ１２とは反対側に向けて突出する取り出しリブ１３を形成する。
【００３２】
図４（Ａ）を参照して、キャビティ３３への溶融樹脂材料１１の射出が終わると、コア型３２を移動して型開きする。樹脂成形品１０はキャビ型３１に対して密着している。
【００３３】
図４（Ｂ）を参照して、取り出し器具６０を下降し、押し付け部材６１およびチャック６２を、ゲートスクラップ部１５に向かい合わせる。
【００３４】
図５（Ａ）を参照して、押し付け部材６１をゲートスクラップ部１５に対して前進させ、ゲートスクラップ部１５を、噴出口５１に向かう方向（図５（Ａ）において右側）に押し付ける。射出装置４０の吐出口４１とエアーエジェクタ５０の噴出口５１との間において、ゲートスクラップ部１５がキャビ型３１に密着し、両者の間の隙間を閉塞あるいは小さくする。
【００３５】
図５（Ｂ）を参照して、押し付け部材６１によってゲートスクラップ部１５を押し付けたまま、エアーエジェクタ５０の噴出口５１を開いてゲート部３４内にエアーの噴出を開始する。
【００３６】
図６（Ａ）を参照して、噴出口５１から噴出したエアーを、リブ１２によって、ゲートスクラップ部１５とゲート面３１ｂとの間を通し、樹脂成形品１０における製品部分１４と成形面３１ａとの間に案内する。これによって、樹脂成形品１０の一部が成形面３１ａおよびゲート面３１ｂから離型する。図中符号Ｓは、樹脂成形品１０の離型によって生じたキャビ型３１との間の隙間を示している。
【００３７】
このとき、対をなす掘り込み部３５は、キャビティ３３に直接連通しているので、リブ１２は、樹脂成形品１０における製品部分１４とキャビ型３１における成形面３１ａとの間に直接ガスを案内する。その結果、樹脂成形品１０における製品部分１４と成形面３１ａとの間に案内し得るエアー量を増加させることができ、樹脂成形品１０の成形面３１ａからの離型を促進させることができる。
【００３８】
さらに、リブ１２の先端（屈曲先端部１２ａ）は屈曲した形状を有しているので、真っ直ぐなリブ１２の場合に比べて、噴出口５１から噴出されエアーを滞留させやすくなる。その結果、樹脂成形品１０と成形面３１ａ、ゲート面３１ｂとの間に案内し得るエアー量を増加させることができ、樹脂成形品１０の成形面３１ａ、ゲート面３１ｂからの離型を促進させることができる。
【００３９】
しかも、押し付け部材６１によってゲートスクラップ部１５を押しつけているので、噴出口５１から噴出されエアーが、キャビティ３３とは反対側の吐出口４１側に漏れることを抑えることができる。その結果、樹脂成形品１０と成形面３１ａ、ゲート面３１ｂとの間に案内し得るエアー量をさらに増加させることができ、樹脂成形品１０の成形面３１ａ、ゲート面３１ｂからの離型をより一層促進させることができる。
【００４０】
また、エアーを案内するリブ１２を樹脂成形と同時に形成することから、エアーを案内するための他の構造物を成形装置２０に組み込む必要がない。
【００４１】
図６（Ｂ）を参照して、チャック６２をゲートスクラップ部１５に対して前進させ、フィンガ６３によって取り出しリブ１３を把持する。ゲートスクラップ部１５の押し付けを解除して押し付け部材６１を後退させ、かつ、取り出しリブ１３を把持したままチャック６２を後退させ、アンダーカット形状のリブ１２を、掘り込み部３５から引き抜く。そして、チャック６２をさらに後退させ、樹脂成形品１０の全体をキャビ型３１から脱型させた後、取り出し器具６０を初期位置（図４（Ａ）を参照）まで上昇させる。以上により、樹脂成形品１０の取り出し動作が完了する。その後、ゲートスクラップ部１５を、樹脂成形品１０の製品部分１４から切除する。
【００４２】
エアーエジェクタ５０の噴出口５１をゲート部３４に開口しているので、取り出した樹脂成形品１０の意匠面に、噴出口の痕跡、例えばエアーエジェクトの分割線などが発生することがない。このため、見栄え品質の不良あるいは低下を招くことがない。しかも、リブ１２や押し付け部材６１の押し付け動作によって、樹脂成形品１０と成形面３１ａ、ゲート面３１ｂとの間にエアーを効率的に吹き込んで、樹脂成形品１０の一部を成形面３１ａ、ゲート面３１ｂから簡単に離型させることができる。
【００４３】
射出成形の後工程において製品部分の一部を切除して開口部を形成するような樹脂成形品にあっては、開口部に相当する部位にエアーエジェクタの噴出口を位置させる形態も考えられる。しかしながら、このような形態にあっては、樹脂材料を無駄に使うことになるので、材料歩留まりの観点から好ましくない。また、ゲート部３４は樹脂成形時に必須のものであるから、意匠面に開口部のない樹脂成形品であっても、エアーエジェクタの噴出口を位置させるためだけに、製品部以外の部分を無駄に大きく設定する必要がなくなる。
【００４４】
樹脂成形品が成形面に密着した状態で、樹脂成形品に設けた取り出しリブなどを持って引き抜く対比例では、次のような問題が生じ得る。すなわち、樹脂成形品を無理に変形させて脱型することになるため、樹脂成形品の意匠面に、変形によるシワや折り目、亀裂、伸びなどの不具合が発生してしまう。
【００４５】
これに対して、本実施形態にあっては、噴出口５１からエアーを噴出するエアーアシストによって樹脂成形品１０の少なくとも一部を成形面３１ａから離型させた後に、取り出しリブ１３を持って引き抜いていることから、脱型時の抵抗がひじょうに小さくなる。したがって、樹脂成形品１０の意匠面に、変形によるシワなどの不具合が発生することがない。
【００４６】
なお、エアーアシストは、取り出しリブ１３を持って樹脂成形品１０を引き抜く動作を始めたタイミングにおいて停止してもよいし、引き抜く動作によって樹脂成形品１０とキャビ型３１との間の空間が大気開放されるまで継続してもよい。
【００４７】
以上説明したように、本実施形態の樹脂成形品の成形装置２０、および樹脂成形品の成形方法によれば、成形型３０のゲート部３４を通してキャビティ３３に溶融樹脂材料１１を充填するときに、ゲート部３４から溶融樹脂材料１１を導くことによって、ゲート部３４にエアーを噴出する噴出口５１を間に挟むように対をなして突出する壁形状のリブ１２を成形型３０内に形成し、成形型３０に密着している樹脂成形品１０と成形型３０との間に、噴出口５１から噴出したエアーをリブ１２によって案内して、樹脂成形品１０の少なくとも一部を成形型３０から離型させている。ガスを噴出する噴出口５１をゲート部３４に開口しているので、取り出した樹脂成形品１０の意匠面に、噴出口５１の痕跡が生じることがない。このため、見栄え品質の不良あるいは低下を招くことがない。さらに、成形型３０に密着している樹脂成形品１０と成形型３０との間に、ガスをリブ１２によって漏れを少なくしつつ案内することができるので、樹脂成形品１０の少なくとも一部を成形型３０から容易に離型させることができる。よって、見栄え品質の不良あるいは低下を招くことなく、樹脂成形品１０の離型を容易に行うことができる。
【００４８】
本実施形態は、ゲート部３４と樹脂成形品１０との間にエアーを吹き込んで樹脂成形品１０を脱型させるので、樹脂成形品１０を必要以上に変形させることなく、容易に脱型できる。このため、変形によるシワや折り目、亀裂などを懸念する必要がない。よって、美観が要求される内装部品に好適に適用することができる。
【００４９】
対をなす掘り込み部３５は、キャビティ３３に直接連通しているので、リブ１２は、キャビティ３３内の樹脂成形品１０とキャビ型３１との間に直接ガスを案内する。その結果、キャビティ３３内の樹脂成形品１０とキャビ型３１との間に案内し得るエアー量を増加させることができ、樹脂成形品１０のキャビ型３１からの離型を促進させることができる。
【００５０】
対をなす掘り込み部３５は、窪んで伸びる側の先端に、互いに向かい合うように屈曲した屈曲部３７を有しているので、リブ１２の先端（屈曲先端部１２ａ）が互いに向かい合うように屈曲した形状を有することとなり、真っ直ぐなリブ１２の場合に比べて、噴出口５１から噴出されエアーを滞留させやすくなる。その結果、樹脂成形品１０とキャビ型３１との間に案内し得るエアー量を増加させることができ、樹脂成形品１０のキャビ型３１からの離型を促進させることができる。
【００５１】
射出装置４０の吐出口４１とエアーエジェクタ５０の噴出口５１との間に、ゲート部３４に充填した溶融樹脂材料１１によって形成された部位つまりゲートスクラップ部１５を、噴出口５１に向かう方向に押し付ける押し付け部材６１をさらに有しているので、噴出口５１から噴出されエアーが、キャビティ３３とは反対側の吐出口４１側に漏れることを抑えることができる。その結果、樹脂成形品１０とキャビ型３１との間に案内し得るエアー量をさらに増加させることができ、樹脂成形品１０のキャビ型３１からの離型をより一層促進させることができる。
【００５２】
また、本実施形態にあっては、エアーアシストによって樹脂成形品１０の少なくとも一部をキャビ型３１から離型させた後に引き抜いていることから、脱型時の抵抗がひじょうに小さくなる。したがって、樹脂成形品１０の意匠面に、変形によるシワなどの不具合の発生を低減することができる。
【符号の説明】
【００５３】
１０      樹脂成形品、
１１      溶融樹脂材料、
１２      リブ、
１２ａ    屈曲先端部、
１３      取り出しリブ、
１４      製品部分、
１５      製品外の部分、ゲートスクラップ部（ゲート部に充填した溶融樹脂材料によって形成された部位）、
２０      樹脂成形品の成形装置、
３０      成形型、
３１      キャビ型、
３１ａ    成形面、
３１ｂ    ゲート面、
３２      コア型、
３２ａ    成形面、
３２ｂ    ゲート面、
３３      キャビティ、
３４      ゲート部、
３５      掘り込み部、
３６      凹所、
３７      屈曲部、
４０      射出手段（充填手段）、
４１      吐出口、
５０      エアーエジェクタ（ガス噴出手段）、
５１      噴出口、
６０      取り出し器具、
６１      押し付け部材、
６２      チャック、
Ｓ        樹脂成形品とキャビ型との間の隙間。
【図１】
2010214648.tif 000003
【図２】
2010214648.tif 000004
【図３】
2010214648.tif 000005
【図４】
2010214648.tif 000006
【図５】
2010214648.tif 000007
【図６】
2010214648.tif 000008